(57)【特許請求の範囲】
【請求項１】
調節されたインピーダンスを有する電気コネクタシステムであって、
少なくとも２つの導体（１１、１２）を備えたケーブル（１０）と、
該ケーブル（１０）の周りに少なくとも部分的に設けられたシェル要素（２０）と、
前記少なくとも２つの導体（１１、１２）および前記シェル要素（２０）を少なくとも部分的に受容するように形成された、前記シェル要素（２０）とは別個のコネクタハウジングアセンブリと、を具備し、
前記シェル要素（２０）は、該シェル要素が前記ケーブル（１０）に力を付加して、前記少なくとも２つの導体（１１、１２）の間の距離を局所的に変化させるように設けられていることを特徴とする電気コネクタシステム。
【請求項２】
前記シェル要素（２０）は窪み（２４）を具備していることを特徴とする請求項１に記載の電気コネクタシステム。
【請求項３】
前記窪み（２４）の主方向は、前記ケーブル（１０）の長手方向に平行に向けられていることを特徴とする請求項２に記載の電気コネクタシステム。
【請求項４】
前記窪み（２４）は、前記シェル要素（２０）の略全長に沿って延びていることを特徴とする請求項２又は３に記載の電気コネクタシステム。
【請求項５】
前記シェル要素（２０）は、前記ケーブル（１０）上に圧着されていることを特徴とする請求項１〜４のいずれか一項に記載の電気コネクタシステム。
【請求項６】
前記シェル要素（２０）は口金状部材であることを特徴とする請求項１〜５のいずれか一項に記載の電気コネクタシステム。
【請求項７】
前記シェル要素（２０）は、前記ケーブル（１０）の端部に設けられていることを特徴とする請求項１〜６のいずれか一項に記載の電気コネクタシステム。
【請求項８】
前記ケーブル（１０）は、少なくとも２つの導体（１１、１２）を取り囲んだ鞘を具備し、前記シェル要素（２０）は、前記鞘上に設けられていることを特徴とする請求項１〜７のいずれか一項に記載の電気コネクタシステム。
【請求項９】
前記シェル要素（２０）は、該シェル要素（２０）を前記ケーブル（１０）に固定するように形成された固定手段（２３）を具備し、該固定手段（２３）は、歯状突起を好適に具備していることを特徴とする請求項１〜８のいずれか一項に記載の電気コネクタシステム。
【請求項１０】
前記シェル要素（２０）は、該シェル要素が前記ケーブル（１０）に力を付加し、前記少なくとも２つの導体（１１、１２）の間の距離を局所的に短くするように設けられていることを特徴とする請求項１〜９のいずれか一項に記載の電気コネクタシステム。
【請求項１１】
前記シェル要素（２０）は、該シェル要素が前記ケーブル（１０）に力を付加し、前記電気コネクタシステムのインピーダンスを調節するために、前記少なくとも２つの導体（１１、１２）の間の距離を局所的に変化させるように設けられていることを特徴とする請求項１〜１０のいずれか一項に記載の電気コネクタシステム。
【請求項１２】
前記コネクタハウジングアセンブリは、別個の二次ロック部材（４０）を具備し、該二次ロック部材（４０）は、該二次ロック部材（４０）を前記シェル要素（２０）に締結するための締結手段（４５、４６）、および前記二次ロック部材（４０）を対応した相手側コネクタ（５０）に直接ロックするため形成された、一体化されたロック手段（４３）を具備していることを特徴とする請求項１〜１１のいずれか一項に記載の電気コネクタシステム。
【請求項１３】
前記シェル要素（２０）は、前記二次ロック部材（４０）の個々の凹部（４５、４６）と阻止接触状態になるように形成された、少なくとも１つの突起（２１、２２）を具備し、および／または前記二次ロック部材（４０）は、前記シェル要素（２０）の個々の凹部と阻止接触状態になるように形成された、少なくとも１つの突起を具備していることを特徴とする請求項１２に記載の電気コネクタシステム。
【請求項１４】
前記コネクタハウジングアセンブリは、前記少なくとも２つの導体（１１、１２）を少なくとも部分的に受容するように形成されたコネクタハウジング（３０）を具備し、前記シェル要素（２０）は、前記コネクタハウジング（３０）に好適に接続されていないことを特徴とする請求項１〜１３のいずれか一項に記載の電気コネクタシステム。
【請求項１５】
前記二次ロック部材（４０）は、該二次ロック部材（４０）を前記コネクタハウジング（３０）に装着するための装着部材（４１）を具備し、該装着部材は、前記二次ロック部材（４０）が前記コネクタハウジングに装着された場合に、前記コネクタハウジング（３０）を少なくとも部分的に収容するように形成された少なくとも１つのフックを好適に具備していることを特徴とする、請求項１２または１３を引用する請求項１４に記載の電気コネクタシステム。
【請求項１６】
前記コネクタハウジングアセンブリを、少なくとも部分的にその内部に受容するように形成された開口部を具備した相手側コネクタ（５０）をさらに具備していることを特徴とする請求項１〜１５のいずれか一項に記載の電気コネクタシステム。
【請求項１７】
調節されたインピーダンスを有する電気コネクタシステムを形成する方法であって、該方法は、
少なくとも２つの導体（１１、１２）を具備したケーブル（１０）を提供するステップと、
シェル要素（２０）を前記ケーブル（１０）の周りに少なくとも部分的に提供し、前記シェル要素が前記ケーブル（１０）に力を付加して、前記少なくとも２つの導体（１１、１２）の間の距離を局所的に変化させるステップと、
前記少なくとも２つの導体（１１、１２）および前記シェル要素（２０）を少なくとも部分的に受容するように形成したコネクタハウジングアセンブリを設けるステップと、
前記少なくとも２つの導体（１１、１２）および前記シェル要素（２０）を、前記コネクタハウジングアセンブリと接続するステップと、を含んでいることを特徴とする方法。
【請求項１８】
前記ケーブル（１０）の周りに少なくとも部分的に前記シェル要素（２０）を設けるステップは、該シェル要素（２０）を前記ケーブル（１０）に圧着するステップを含んでいることを特徴とする請求項１７に記載の方法。
【請求項１９】
前記シェル要素（２０）は、該シェル要素が前記ケーブル（１０）に力を付加して、前記電気コネクタシステムのインピーダンスを調節するために、前記少なくとも２つの導体（１１、１２）の間の距離を局所的に変化させるように設けられていることを特徴とする請求項１７または１８に記載の方法。
【請求項２０】
前記シェル要素（２０）は、口金状部材であることを特徴とする請求項１７〜１９のいずれか一項に記載の方法。
【発明の詳細な説明】
【技術分野】
【０００１】
本発明は、調節されたインピーダンスを有する電気コネクタに関する。
【背景技術】
【０００２】
電気コネクタシステムは、例えば電気通信ケーブル、ネットワークケーブル、他の信号ケーブル、または一般的に任意の電気配線のような、様々なケーブルを接続するために使用されている。電気コネクタシステムは電気回路の結合のために使用され、一般的に雄端部プラグが雌端部ジャックに接続されるように形成されている。
【０００３】
電気コネクタシステムを介して伝達されるデータ速度の上昇を伴って、接続ラインに関する要求および電気コネクタシステムに関する要求は、増大している。ある伝達システムは、伝達チャネルに関する特別な要求を備えている。したがって、伝送路の反射性能は、特に妥当である。先行技術から知られているように、インピーダンスはこの点において主たる役割を担っている。伝送路に沿ったインピーダンスの変化は、伝送路の反射性能を特徴付け得る。
【０００４】
例えば、２ワイヤ接続ラインが回路基板に接続された場合、インピーダンスは一般的に変化する。接続ラインの導体は、それらを例えば個々の接続ポートに接続するために、接続部においてさらに離間され得る。結果的に、インピーダンスは増大する。しかしながら、これは高いデータ速度のデータ通信に良くない効果を伴っている。
【０００５】
さらに、多くの機器において、コネクタの安全な連結は非常に重要である。したがって、例えば乗用車内においてエアバッグをエアバッグシステムの点火ベースに接続するために使用されるコネクタは、不意に緩まないことが所望される。したがって、二次ロックシステムが、安全な機械的連結を保証するために使用されている。
【０００６】
ケーブルが取り除かれ且つ導体が例えば接触端子に接続され得る接続部は、特に脆弱となり得る。したがって、接触端子に接続されたケーブルワイヤを保護するために、電気コネクタシステムは、頻繁にケーブルひずみ解放部材を必要とし、その部材は、電気コネクタシステムをケーブルに付加されたひずみから解放する。しかしながら、他の接続領域、すなわちケーブルが接触端子に接続された領域の間の保護、および対応した相手側コネクタに結合された接触端子の接続の保護に関して、技術を改良する必要性がまだ存在する。
【発明の概要】
【発明が解決しようとする課題】
【０００７】
前述の観点において、本発明の目的は電気コネクタシステムを提供することであり、そのシステムは、改良された通信特性と共に且つ特に低干渉と共に、高いデータ速度におけるデータ通信が可能である。本発明のさらなる目的は、装着の容易な電気コネクタシステムを提供することであり、安全且つ確実な連結および最適化された通信特性を提供することである。特に、改良された通信特性および容易且つ確実な接続を提供するコネクタシステムが必要とされている。
【課題を解決するための手段】
【０００８】
これらおよび他の目的は、以下の記載を読むことによって明確になり、請求項１の主題による電気コネクタシステム、および独立請求項１７の主題による電気コネクタシステムを製造する方法によって達成される。
【０００９】
本発明は、調節されたインピーダンスを有する電気コネクタシステムに関する。電気コネクタシステムは、少なくとも２つの導体を備えたケーブルと、ケーブルの周りに少なくとも部分的に設けられたシェル要素と、を具備している。好適に、ケーブルは、少なくとも２つの導体を取り囲んだ鞘を具備し、シェル要素は、このケーブル鞘上に好適に設けられている。
【００１０】
それにより、電気コネクタシステムのシェル要素は、シェル要素がケーブルに力を付加して、少なくとも２つの導体の間の距離を局所的に変化させるように設けられている。したがって、少なくとも２つの導体の間の距離が局所的に変化した場合、調節されたインピーダンスを有する補正領域が生じ得る。好適に、シェル要素がケーブルに力を付加して、少なくとも２つの導体の間の距離を局所的に短くするように、シェル要素は設けられている。導体間の距離の減少により、インピーダンスは結果として減少する。したがって、シェル要素は、シェル要素がケーブルに力を付加して、電気コネクタシステムのインピーダンスを調節するために、少なくとも２つの導体の間の距離を局所的に変化させるように好適に設けられている。
【００１１】
電気コネクタシステムは、シェル要素とは別個の、少なくとも２つの導体およびシェル要素を少なくとも部分的に受容するように形成された、コネクタハウジングアセンブリをさらに具備している。コネクタハウジングアセンブリは、対応した相手側コネクタに接続するように形成された、任意の形状を一般的に備え得る。さらに、コネクタハウジングアセンブリは、１つ以上の要素から構成され得る。
【００１２】
前述のように、電気コネクタシステムのインピーダンスは、接続領域において上昇し、その領域において、導体は例えばコネクタを個々の相手側部品に連結するために、さらに離間されている。シェル要素を用いて、接続領域近傍の所定の位置において局所的にケーブル内側の少なくとも２つの導体の間の距離を局所的に減少することによって、接続領域における過大なインピーダンスは、少なくとも部分的に補正されることが可能である。補正領域、すなわち少なくとも２つの導体の間の距離がシェル要素を用いて局所的に変化された領域は、フィルタリング効果によって電気コネクタシステムを補正するように作用する。高周波域における追加の反射がそれにより生じ得るが、これらがシステム関連領域にないので、このことは問題とならない。
【００１３】
好適に、シェル要素は窪みを具備している。好適に、この窪みの主方向は、ケーブルの長手方向に平行に向けられている。したがって、シェル要素上に対応した窪みを設けることにより、シェル要素によってケーブルに付加される力を精密に設定することが可能である。窪みは局所的にケーブルに作用して、その内部の導体を再配置する。例えば、シェル要素がリング状要素であった場合、窪みはリングの一側に設けられ、ケーブル内の２つの導体は互いに接近するように押圧されることが可能である。別の実施形態においては、窪みは、２つの導体が互いにさらに離間するように押圧されるように設けられ得る。それにより、インピーダンスは、特に接続領域において生じるインピーダンスの観点において、所望に応じて調節されることが可能である。窪みは直線状でなくてもよく、すなわち少なくとも部分的にシェルを取り囲んでもよい。好適に、窪みはシェル要素の（長手方向の）略全長に沿って延びている。したがって、それが、所望のインピーダンスに従って調節しなければならないシェル要素の長さである。シェル要素自身の長さが、そこに設けられた窪みの長さよりもより容易に制御されることが可能であるので、シェル要素の長さの変化によるインピーダンスの調節は、より正確である。シェル要素の長さは、コネクタシステムの構造に好適に調節される。シェル要素により付加される力は、その長さに沿って変化し、電気コネクタシステムの特別なインピーダンス特性が設定され得ることが理解される。
【００１４】
好適に、シェル要素はケーブル上に圧着されている。別の好適な実施形態においては、シェル要素は口金状部材である。先行技術から知られたように、口金状部材は、締結、結合シールまたは補強のために一般的に使用されるものであり得る。それは、金属またはプラスチック製の狭い円形リングであり得る。したがって、口金状部材は既知の手段により設けられてもよく、口金状部材は例えば、インピーダンスを調節するために、ケーブルに付加される力を調節するための窪みを具備し得ることを、当業者は理解するだろう。
【００１５】
シェル要素は、任意の適切な形式および／または形状であり得る。シェル要素は、完全にまたは部分的にのみケーブルを収容し、所望のインピーダンス特性を得るために力を付加する。シェル要素は、ケーブルに取り付けられまたは圧着されることが可能な圧着手段として設けられ得る。シェル要素は、金属スリーブとして実施され得る。シェル要素が金属を含み、または好適に金属から成る場合、有利な補正効果が補強され、減少された力のみがシェル要素によって導体に付加されることを必要とされ得る。シェル要素は２つ以上の部分に設けられ、例えばケーブルの周りに一体にネジ留めされて、ケーブル上に力を付加し得る。複数部分のシェル要素の個別の部分は、任意の適切な手段によって互いに相互接続され、および／またはケーブルに取り付けられ得ることを、当業者は理解する。
【００１６】
好適に、シェル要素はケーブルの端部に設けられる。ケーブルの端部は、ケーブル鞘端部または導体端部の位置として規定され得る。シェル要素は、ケーブル端に正確に設けられ得るが、しかしながら、シェル要素は、ケーブル端から所定の距離だけ離間されてもよいが、ケーブル端の近傍、すなわち、ケーブルの端部に設けられ得る。ケーブルのこの端部は、ケーブル端から２００ｍｍ、好適に１００ｍｍ、より好適に７０ｍｍ、より好適に５０ｍｍ、最も好適に３０ｍｍの長さとし得る。ケーブルの端部のシェル要素の正確な位置は、伝達される信号の周波数に主として依存している。したがって、最適な伝達特性を達成するために、ケーブルの端部の適切な位置にシェル要素を設けることを、当業者は理解する。
【００１７】
好適に、シェル要素は、シェル要素をケーブルと固定するように形成された固定手段を具備し、この固定手段は、さらなる好適な実施形態において歯状突起を具備している。したがって、シェル要素のケーブルへの強固な固定が提供されることが可能であり、所望のインピーダンス特性が長期にわたって維持される。
【００１８】
好適な実施形態においては、ケーブルの導体間の距離は、接続領域から離れたおよび補正領域またはシェル要素から離れたケーブル内の平均距離と比較して、コネクタシステムの接続領域において異なり得る。それにより、接続領域は、導体が、相手側部分またはポートもしくは同様の部分のそれぞれに電気的に接続された位置であり得る。好適に、接続領域におけるケーブル間距離は増大され、信頼性の高い接続が提供されて、バイパスの危険性を減少することが可能である。結果的に、インピーダンスは好適にシェル要素によって補正されている。好適に、導体は接触端子に接続されてもよく、接触端子は絶縁体圧着部および導体に接続するためのワイヤ圧着部を具備し、対応した相手側コネクタのための電気的インターフェイスをさらに具備し得る。
【００１９】
好適に、コネクタハウジングアセンブリは別個の二次ロック部材を具備し、次いで、二次ロック部材をシェル要素に締結するための、好適にひずみ解放のための締結手段を好適に具備している。さらに、別個の二次ロック部材は、二次ロック部材を相手側コネクタに直接ロックするように形成された、一体化されたロック手段を好適に具備している。「相手側コネクタ」との用語は、ここではコネクタハウジングアセンブリに接続するための任意の種類のコネクタアダプタを示すために使用されている。相手側コネクタおよび／またはコネクタハウジングアセンブリの構成部品は、射出成型によって好適に製造されている。
【００２０】
したがって、二次ロック部材は、コネクタハウジングアセンブリの一体化された部品ではない。二次ロック部材は単一且つ別個の部材であり、任意のケーブルのひずみを対応した相手側コネクタに、好適に直接伝達するように形成されている。したがって、ケーブルに付加された任意の引き抜き力は、シェル要素および二次ロック部材を介して相手側コネクタに伝達され、ワイヤ接続部または接続領域自身は、有利に影響を受けない。ワイヤ接続部は、シェル要素と接続状態にある二次ロック部材が、相手側コネクタに力を伝達するので、力に対してより小さい抵抗力であってよい。さらに、本発明は、相手側コネクタに接続されるコネクタハウジングアセンブリの任意の一次ロック手段を有利に解放している。したがって、コネクタシステムにおいて、コネクタハウジングアセンブリには、例えば空間の制限により、一体化された一次ロックが設けられることが可能でないことも理解される。
【００２１】
二次ロック部材は好適な形状であり、その形状は、シェル要素に直接締結されることが可能であり、且つ対応した相手側コネクタに直接ロックされることが可能である。したがって、二次ロック部材の（長手方向）長さは、所望の伝達特性に依存してケーブル端の所定の距離に設けられ得るシェル要素に及ぶ長さであり得る。
【００２２】
「引き抜き力」との用語は、ここではワイヤまたはケーブルを電気コネクタシステムから引き抜くように作用する任意の力を示すものとして使用されている。同様に、「押込み力」との用語は、ここではワイヤまたはケーブルを電気コネクタシステム内に押し込むように作用する任意の力を示すものとして使用されている。
【００２３】
好適な実施形態においては、シェル要素は、個々の二次ロック部材の凹部と阻止接触となるように形成された、少なくとも１つの突起を具備している。別の好適な実施形態においては、二次ロック部材は、個々のシェル要素の凹部と阻止接触となるように形成された、少なくとも１つの突起を具備している。シェル要素および二次ロック部材の両方は、１つ以上の突起および個々の１つ以上の凹部の両方を具備し得る。突起と凹部との相互作用により、シェル要素と二次ロック部材との間の強固な結合が提供され、ケーブルおよび／または二次ロック部材に作用する任意の力は、効果的に伝達されることが可能である。
【００２４】
シェル要素は、少なくとも２つの有利な特徴を好適に提供している。第１に、コネクタシステムに沿った伝達特性を改善するための、調節されたインピーダンスを有する補正領域を形成している。第２に、それと同時に、そこに二次ロック部材が締結され、したがってひずみを解放したケーブル固定を可能にした手段を提供している。
【００２５】
シェル要素を設けるさらなる利点は、特にシェル要素が導電性金属および／または磁性金属を含んでいるか、もしくはそれらから成る場合の電磁シールド効果である。それにより、外部電磁場が遮断されるか、またはシェル要素によって覆われたケーブルへの影響から少なくとも部分的に隠される。電磁シールドが、個々のケーブル鞘によっても設けられ得ることが理解されるだろう。シェル要素を設けることは、導体を周囲環境からさらに隔離する。
【００２６】
好適に、コネクタハウジングアセンブリはコネクタハウジングを具備し、次いで、コネクタハウジングは開口部を含み、その開口部は、少なくとも２つの導体を少なくとも部分的に受容するように形成されている。さらに好適に、シェル要素は、好適に少なくとも直接的にコネクタハウジングに接続されていない。したがって、ひずみ解放がコネクタハウジングに提供されている。ハウジング自身は、対応した相手側コネクタに接続するように形成された任意の形状を一般的に有し得る。コネクタハウジングは、対応した相手側コネクタにロックするための手段を含んでもよく、少なくとも２つの導体に接続された接触端子を受容するように形成され得る。
【００２７】
好適な実施形態においては、二次ロック部材は、二次ロック部材をコネクタハウジングに装着するための装着手段を具備している。さらに好適には、装着手段は、二次ロック部材がコネクタハウジングに装着された場合に、少なくとも部分的にコネクタハウジングを取り囲むように形成された少なくとも１つのフックを具備している。特に好適な実施形態においては、フックはＵ字形状断面プロファイルを有する。この装着手段は、簡素な組み立て工程、および二次ロック部材のコネクタハウジングへの有利な固定可能にし、したがってシステム全体の安定性の改善している。好適に、引き抜き力は、ケーブルからシェル要素および二次ロック部材を介して、対応した相手側コネクタに直接伝達される。二次ロック部材が相手側コネクタにロックされていない場合、引き抜き力は、装着手段を介してコネクタハウジングに作用し、したがって、プラグの抜き取りを可能にし、および最終的に電気コネクタシステムの接続解除を可能にする。
【００２８】
好適に、電気コネクタシステムは、開口部を具備した相手側コネクタをさらに具備し、その開口部は、その内部に少なくとも部分的にコネクタハウジングアセンブリを受容するように形成されている。対応した相手側コネクタが、コネクタハウジングアセンブリと互換性のある任意のコネクタであり得ることを、当業者は理解する。好適に、対応した相手側コネクタは、ケーブルのひずみ解放に寄与するために、コネクタハウジングアセンブリに設けられた個々の手段と相互作用するように形成されている。
【００２９】
本発明によれば、調節されたインピーダンスを有する電気コネクタの製造方法がさらに提供されている。その方法は、少なくとも２つの導体を具備したケーブルを提供するステップを含んでいる。その方法は、シェル要素をケーブルの周りに少なくとも部分的に提供し、シェル要素がケーブルに力を付加して、少なくとも２つの導体の間の距離を局所的に変化させるステップをさらに含んでいる。好適に、シェル要素は、力をケーブルに付加し、電気コネクタシステムのインピーダンスを調節するために、少なくとも２つの導体間の距離を局所的に変化させるように設けられている。
【００３０】
シェル要素は、前述のような任意のシェル要素であってよく、好適に口金状部材である。好適に、このステップは、シェル要素のケーブル上への圧着を含んでいる。
【００３１】
その方法は、コネクタハウジングアセンブリを、少なくとも２つの導体およびシェル要素を少なくとも部分的に受容するように形成するステップ、ならびに少なくとも２つの導体およびシェル要素を、コネクタハウジングアセンブリと接続するステップを含んでいる。
【００３２】
その結果としてのコネクタシステムは、前述の任意の特徴、および実施され得るように製造されるための前述の個々のステップを含み得る。
【００３３】
「締結」、「ロック」、「装着」、および異なった手段に関してここに使用された用語は、特定の機器の方法を暗示しているのではなく、単に明確化のために異なった手段に付されて使用されている。したがって、装着手段は一般的にロック機能を提供し、例えばロック手段が装着のために使用され得る。
【００３４】
以下において、本発明は、添付図を参照して例示的に記述されている。
【図面の簡単な説明】
【００３５】
【図１】一実施形態による電気コネクタシステムを示した図である。
【図２】別の実施形態による電気コネクタシステムを示した図である。
【図３】別の視点からの図２の電気コネクタシステムを示した図である。
【図４】図３の電気コネクタシステムの断面を示した図である。
【図５】図３の電気コネクタシステムの断面を示した図である。
【図６】別の実施形態による電気コネクタシステムを示した図である。
【図７】さらなる実施形態による電気コネクタシステムを示した図である。
【図８】図７の電気コネクタシステムの断面を示した図である。
【発明を実施するための形態】
【００３６】
図１は、本発明の一実施形態による電気コネクタシステムを示している。ケーブル１０は、２つの導体１１、１２を具備して設けられている。導体１１、１２は、例えば銅ワイヤとし得る。導体１１、１２は、以下に記載されたように変化されない場合、互いに対して決められた距離を有し得る。
【００３７】
導体１１、１２は、内部に接触端子（図示略）を含み得るコネクタハウジング３０に接続されている。ケーブル１０の端部において、シェル要素２０または口金状部材２０が設けられている。それはケーブル１０を取り囲み、力が２つの導体１１、１２に付加されている。結果として、導体１１、１２の距離は、そのシェル要素２０によって取り囲まれた領域内において、局所的に短くまたは長くなり得る。図示されたように、シェル要素２０は、完全に閉鎖した形態である必要はなく、ケーブル１０を部分的にのみ取り囲み得る。
【００３８】
２つの導体１１、１２の距離は、ケーブル１０（図示略）内の位置と比較して、コネクタハウジング３０内においてより大きくなり得る。したがって、電気コネクタシステムのインピーダンスは、導体１１、１２の接続によって増大し得る。しかしながら、２つの導体１１、１２の距離が、シェル要素２０によって取り囲まれたケーブル１０内の領域において、局所的に短くなり得るので、このインピーダンスは、有利に補正され得る。したがって、図１の電気コネクタシステムは、最適な伝達特性に関して調整されたインピーダンスを特徴としている。
【００３９】
図２に示された電気コネクタシステムは、図１に示されたシステムに対応しており、図２の電気コネクタシステムは、別個の二次ロック部材４０を具備している。二次ロック部材４０は、フック４１を用いて初期にコネクタハウジング３０に装着され、二次ロック部材は、コネクタハウジング３０を部分的に収容している。さらに、コネクタハウジング３０は、そこに二次ロック部材４０を固定するための固定手段３１を具備している。それに加えて、二次ロック部材４０はシェル要素２０に接続され、二次ロック部材４０を相手側コネクタに一致させるために、ロック傾斜部４３および作用部材４４を備えた可撓性ウェブ４２と一体となっている。ロック傾斜部４３は、本発明の意味においては、一体化されたロック手段として機能し得る。
【００４０】
二次ロック部材４０が、例えば相手側コネクタにロックされない場合、ケーブル１０または二次ロック部材４０に付加された任意の引き抜き力が、フック４１およびコネクタハウジング３０の固定手段３１を介して、ハウジング３０に伝達される。さらに、任意の押込み力が、コネクタハウジング３０のブロック面３２に対して二次ロック部材４０を付勢する。したがって、コネクタハウジング３０内の任意の脆弱なワイヤが保護される。
【００４１】
さらに図２に示されたように、シェル要素２０の突起２２は、二次ロック部材４０の凹部４６または窓４６内に配置されている。したがって、ケーブル１０に作用した任意の引き抜き力は、先の凹部４６に接触する先の突起２２を介して二次ロック部材４０に伝達される。
【００４２】
図３は、別の視点から図２の電気コネクタシステムを示している。シェル要素２０に設けられた別の突起２１は、二次ロック部材４０の別の開口部４５または凹部４５と阻止接触状態にある。この阻止接触により、二次ロック部材４０のケーブル１０への安全な連結が、最終的に達成されている。したがって、シェル要素２０に付加される任意の引き抜き力は、二次ロック部材４０に直接伝達される。
【００４３】
図４は、図３の電気コネクタシステムの断面図を示している。シェル要素２０は、歯状突起２３を用いてケーブル１０に固定されている。したがって、引き抜き力がケーブル１０に付加された場合、その力は、歯状突起２３を介してシェル要素２０に伝達され、且つ突起２１、２２を介して二次ロック部材に伝達され、各突起は、二次ロック部材４０の個々の凹部４５、４６に対して阻止接触状態にある。コネクタハウジング３０内のワイヤは影響を受けない。凹部は、先の部材４０をシェル要素２０に固定するための、二次ロック部材４０の締結手段として機能し得る。
【００４４】
図５は、別の断面における図３の電気コネクタを示している。窪み２４がシェル要素２０に設けられ、伝達特性を改善に関して電気コネクタシステムのインピーダンスを調節するために、２つの導体１１、１２の距離を変化させている。二次ロック部材４０によってシェル要素２０に与えられた力が、導体１１と１２との間の距離を望ましく変化させ得ることも理解されるだろう。
【００４５】
シェル要素２０および特に窪み２４の形状は、好適に電気コネクタシステムの安定した載置が提供されるようになっている。特に前述の突起および凹部の相互作用によって提供された、シェル要素２０の二次ロック部材４０への固定により、ケーブル１０の自身の長手軸周りの回転は防止され得る。したがって、窪み２４は導体１１、１２のケーブル１０内の強固な載置を提供している。任意の力、特に回転力は、シェル要素２０および二次ロック部材４０を介して、最終的に対手側コネクタへ滑ることなく好適に伝達される。部品の適切且つ頑丈な載置のためのさらなるまたは他の手段が設けられ得ることが、理解されるだろう。特に、二次ロック部材４０は、窪み２４においてシェル要素２０上に保持されるように形成され得る。
【００４６】
図６に示された電気コネクタシステムは、図３の電気コネクタシステムに対応しており、コネクタハウジング３０は図示されていない。見られているように、２つの突起２４′は、シェル要素をケーブル１０に固定するために、シェル要素２０に設けられている。突起２４′は窪み２４内に設けられ、シェル要素２０のより良好な固定を結果的に達成している。
【００４７】
図７は、対応した相手側コネクタ５０に接続された、図３の電気コネクタシステムを示しており、それは次に例えばパネル６０に接続されている。図３の電気コネクタシステムを相手側コネクタ５０に挿入する際に、傾斜部４３が相手側コネクタ５０にスライドして接触した場合、一体化された可撓性ウェブ４２が下げられる。直ちに、傾斜部４３は相手側コネクタ５０の窓５１内に完全に配置され、可撓性ウェブ４２は跳ね戻り、傾斜部４３はロック機能を提供する。接続を解除するために、作業者は、作用部材４４を押圧することによって可撓性ウェブ４２を下げ、傾斜部４３と窓５１との間のロック接触を解消させる。
【００４８】
図８は、断面における図７の電気コネクタシステムを示している。引き抜き力がケーブル１０に付加された場合、この力は、以下の方法で伝達される。歯状突起２３を介してシェル要素２０へ、凹部４６と阻止接触状態にある突起２２を介して二次ロック部材４０へ、およびロック傾斜部４３のロック接触を介して相手側コネクタおよび最終的にパネル６０へ伝達される。それにより、力はコネクタハウジング３０内のワイヤに減少されて作用するか、または好適に全く作用しない。さらに、シェル要素２０が、ケーブル１０内の導体１１、１２の距離を局所的に変化させるので、コネクタハウジング３０内のワイヤによって生じたインピーダンスは補正され、最適な伝達特性が達成される。
【符号の説明】
【００４９】
１０ ・・・ケーブル
１１、１２ ・・・導体
２０ ・・・シェル要素
２１、２２ ・・・突起
２３ ・・・固定手段
２４ ・・・窪み
２４´ ・・・突起
３０ ・・・コネクタハウジング
３１ ・・・コネクタハウジングの固定手段
３２ ・・・ブロック面
４０ ・・・二次ロック部材
４１ ・・・二次ロック部材の装着手段
４２ ・・・可撓性ウェブ
４３ ・・・ロック傾斜部
４４ ・・・作用部材
４５、４６ ・・・凹部
５０ ・・・相手側コネクタ
５１ ・・・窓
６０ ・・・パネル
【図１】
0006744162.tif 000002
【図２】
0006744162.tif 000003
【図３】
0006744162.tif 000004
【図４】
0006744162.tif 000005
【図５】
0006744162.tif 000006
【図６】
0006744162.tif 000007
【図７】
0006744162.tif 000008
【図８】
0006744162.tif 000009